(57)【要約】【課題】鍵の紛失に効率よく対処できる鍵管理プログラムを提供すること。【解決手段】警備員が鍵を取得、利用、収納する際にＩＤ読取部１０によって鍵のＩＤが読取られ、鍵利用状況更新部５４が鍵情報記憶部６６の該当データのステータスを更新し、その鍵が最後にどのように扱われたのかを記憶させる。また、経路図とその経路にて使用する鍵の情報を保持する経路情報記憶部６５の情報を利用し、表示部２０に鍵を使用する場所の経路図の表示をおこなう。【選択図】        図１
2005344307.tif 000002
【特許請求の範囲】
【請求項１】
鍵管理プログラムであって、
鍵を他の鍵と区別する鍵識別情報を読取る識別情報読取手順と、
所定の警備作業に必要となる鍵の情報を取得する鍵情報取得手順と、
前記鍵情報取得手順によって取得された鍵情報に含まれる鍵に係る利用状態情報を当該の鍵の取得と利用と収納とにともなっておこなわれる前記鍵識別情報の読取りを契機として更新する鍵利用状況更新手順と、
前記鍵情報と前記利用状態情報とを関連付けて表示する表示手順と、
をコンピュータに実行させることを特徴とする鍵管理プログラム。
【請求項２】
前記鍵情報取得手順は、鍵の使用順序の規則を含む前記鍵情報を取得し、前記鍵利用状況更新手順は、前記規則に反する順序で前記識別情報読取手順により前記鍵識別情報が読取られた場合に警告通知をおこなうことを特徴とする請求項１に記載の鍵管理プログラム。
【請求項３】
前記鍵情報取得手順は、鍵の使用場所の経路図を含む前記鍵情報を取得し、前記表示手順は、前記鍵情報と共に当該の鍵と関連する前記経路図を表示することを特徴とする請求項１または２に記載の鍵管理プログラム。
【請求項４】
前記識別情報読取手順は、警備対象の建屋を他の建屋と区別する建屋識別情報をさらに読取り、
前記鍵情報取得手順は、建屋識別情報に応じた鍵情報を取得することを特徴とする請求項１〜３のいずれか一つに記載の鍵管理プログラム。
【請求項５】
鍵管理装置であって、
鍵を他の鍵と区別する鍵識別情報を読取る識別情報読取手段と、
所定の警備作業に必要となる鍵の情報を取得する鍵情報取得手段と、
前記鍵情報取得手段によって取得された鍵情報に含まれる鍵に係る利用状態情報を当該の鍵の取得と利用と収納とにともなっておこなわれる前記鍵識別情報の読取りを契機として更新する鍵利用状況更新手段と、
前記鍵情報と前記利用状態情報とを関連付けて表示する表示手段と、
を備えたことを特徴とする鍵管理装置。
【発明の詳細な説明】
【技術分野】
【０００１】
この発明は、鍵管理プログラムおよび鍵管理装置に関し、鍵の紛失に効率よく対処することができる鍵管理プログラムおよび鍵管理装置に関するものである。
【背景技術】
【０００２】
警備会社の警備員は、警備契約が結ばれた施設に何らかの異常があった場合に早急に現場に駆けつける必要がある。警備員は、これらの施設が夜間等に施錠されている場合にも駆けつける必要があるため、事前に顧客から託された予備鍵を携行しているが、その鍵の数は１０００個以上となることがある。
【０００３】
このように多数の鍵を扱うために、鍵の紛失がしばしば発生し、さらに、紛失に長い間気が付かない場合もある。この問題を解決するために、特許文献１では、鍵に識別用部材を取り付けておき、鍵を収納する鍵箱がその識別部材の識別コードを非接触で読取って収納状態を判別する鍵管理方法が開示されている。
【０００４】
【特許文献１】特開２００１−１８２３８８号公報
【発明の開示】
【発明が解決しようとする課題】
【０００５】
しかしながら、鍵箱に鍵を戻す際に鍵を紛失していることが分かっても、その鍵を最後にどこでどのように扱ったのかが容易に分からないと鍵を探すのに大きな手間がかかることになる。警備員は、警備対象の施設の経路図を印刷物の形で提供されることが多いが、経路が複雑な場合には鍵の使用箇所を探すのが非常に困難になる。
【０００６】
また、鍵を取り扱う上では、警備員が警備業務のために解錠した鍵を施錠し忘れてしまうことがあるという別の問題も存在する。本来施錠されているべき鍵を開錠したままにしてしまうことは防犯上大きな問題となる。
【課題を解決するための手段】
【０００７】
上述した課題を解決し、目的を達成するため、本発明は、鍵管理プログラムであって、鍵を他の鍵と区別する鍵識別情報を読取る識別情報読取手順と、所定の警備作業に必要となる鍵の情報を取得する鍵情報取得手順と、前記鍵情報取得手順によって取得された鍵情報に含まれる鍵に係る利用状態情報を当該の鍵の取得と利用と収納とにともなっておこなわれる前記鍵識別情報の読取りを契機として更新する鍵利用状況更新手順と、前記鍵情報と前記利用状態情報とを関連付けて表示する表示手順と、をコンピュータに実行させることを特徴とする。
【０００８】
また、本発明は、鍵管理装置であって、鍵を他の鍵と区別する鍵識別情報を読取る識別情報読取手段と、所定の警備作業に必要となる鍵の情報を取得する鍵情報取得手段と、前記鍵情報取得手段によって取得された鍵情報に含まれる鍵に係る利用状態情報を当該の鍵の取得と利用と収納とにともなっておこなわれる前記鍵識別情報の読取りを契機として更新する鍵利用状況更新手段と、前記鍵情報と前記利用状態情報とを関連付けて表示する表示手段と、を備えたことを特徴とする。
【０００９】
かかる発明によれば、鍵の取得と利用と収納にともなって鍵の識別情報を読取ることにより鍵の利用状態の記憶を更新するように構成したので、鍵を最後にどのよう扱ったのかを容易に知ることができる。
【００１０】
また、本発明は、前記鍵情報取得手順は、鍵の使用順序の規則を含む前記鍵情報を取得し、前記鍵利用状況更新手順は、前記規則に反する順序で前記識別情報読取手順により前記鍵識別情報が読取られた場合に警告通知をおこなうことを特徴とする。
【００１１】
かかる発明によれば、鍵を誤った順序で使用した場合に警告するように構成したので、途中で鍵を施錠するのを忘れて次の鍵を使用した場合には警告がなされ、鍵の施錠漏れを防止することができる。
【００１２】
また、本発明は、前記鍵情報取得手順は、鍵の使用場所の経路図を含む前記鍵情報を取得し、前記表示手順は、前記鍵情報と共に当該の鍵と関連する前記経路図を表示することを特徴とする。
【００１３】
かかる発明によれば、鍵情報と関連付けて鍵の使用場所の経路図を表示するように構成したので、警備員が鍵を紛失した場合等に鍵の使用場所を容易に知ることができる。
【００１４】
また、本発明は、前記識別情報読取手順は、警備対象の建屋を他の建屋と区別する建屋識別情報をさらに読取り、前記鍵情報取得手順は、建屋識別情報に応じた鍵情報を取得することを特徴とする。
【００１５】
かかる発明によれば、警備対象の施設の外壁等に埋め込まれたＩＤを読取り、このＩＤに対応する鍵情報を取得するように構成したので、他の施設の鍵情報を誤って取得することがなく、警備員が必要としている鍵情報を迅速に取得することができる。
【発明の効果】
【００１６】
本発明によれば、鍵の取得と利用と収納にともなって鍵の識別情報を読取ることにより鍵の利用状態の記憶を更新するように構成したので、鍵を最後にどのよう扱ったのかを容易に知ることができるという効果を奏する。
【００１７】
また、本発明によれば、鍵を誤った順序で使用した場合に警告するように構成したので、途中で鍵を施錠するのを忘れて次の鍵を使用した場合には警告がなされ、鍵の施錠漏れを防止することができるという効果を奏する。
【００１８】
また、本発明によれば、鍵情報と関連付けて鍵の使用場所の経路図を表示するように構成したので、警備員が鍵を紛失した場合等に鍵の使用場所を容易に知ることができるという効果を奏する。
【００１９】
また、本発明によれば、警備対象の施設の外壁等に埋め込まれたＩＤを読取り、このＩＤに対応する鍵情報を取得するように構成したので、他の施設の鍵情報を誤って取得することがなく、警備員が必要としている鍵情報を迅速に取得することができるという効果を奏する。
【発明を実施するための最良の形態】
【００２０】
以下に添付図面を参照して、この発明に係る鍵管理プログラムおよび鍵管理装置の好適な実施の形態を詳細に説明する。なお、以下では本実施例に係る鍵管理プログラムおよび鍵管理装置の典型的な利用例について簡単に説明し、これに続いて、本実施例に係る鍵管理プログラムおよび鍵管理装置の構成および処理手順について説明することとする。
【実施例】
【００２１】
まず、本実施例に係る鍵管理プログラムおよび鍵管理装置の典型的な利用例について説明する。本実施例に係る鍵管理装置は、警備員が携帯可能な小型の情報機器であり、本実施例に係る鍵管理プログラムは、その機器上で動作するコンピュータプログラムである。
【００２２】
この鍵管理装置を利用するに当たっては、警備対象の施設の外壁とその施設内の現場に到着ために用いる鍵とに固有のＩＤが埋め込まれており、鍵管理装置がそのＩＤを読取ることができることが前提となる。ＩＤを埋め込むには、例えば、バーコードやＩＣタグなどが利用できる。
【００２３】
なお、警備対象の施設の外壁にＩＤを埋め込む場所はどこであっても構わないが、訪れた警備員がすぐに認識できる場所である必要がある。好適なＩＤの埋め込み場所としては、例えば、警備会社との警備契約を示すステッカーの表面が考えられる。かかるステッカーは犯罪行為を未然に防止する目的で警備対象の施設の入り口付近の外壁に張られているが、警備員にとってなじみのあるデザインであるので容易に発見ができるという利点がある。ここでは、このステッカーにバーコードが貼られているものとして説明することとする。
【００２４】
警備会社と契約している顧客の施設に設置された警備装置が何らかの異常を感知すると、その情報が警備会社に通報される。警備会社のオペレータは、異常を感知した現場に最も近い位置にいる警備員に現場に向かうように指示を送る。
【００２５】
指示を受け取って通報のあったビルに到着した警備員は、鍵管理装置を持ってビルの入り口へ行き、入り口脇のステッカーのバーコードを鍵管理装置で読取る。すると、鍵管理装置に、この入り口は現在夜間のため出入りができないので裏口を使用するようにという旨のメッセージと裏口までの経路図が表示され、また、現場に到着するまでにいくつかの鍵が必要なので車に戻って鍵を取ってくるように促される。
【００２６】
警備員は、車に戻って指示された鍵を鍵箱から取出すと、鍵に不足や間違いがないかどうかを確認するために各鍵のＩＤを鍵管理装置に読み込ませる。必要な鍵を全て間違いなく取出したことを確認すると、警備員は、鍵管理装置に表示された経路図を参照しながら指示された裏口へと向かう。
【００２７】
裏口に着いた警備員は、最初に使用するように鍵管理装置が指示している鍵を使用して扉を開けた後、その鍵のＩＤを鍵管理装置に読み込ませる。すると、鍵管理装置の表示内容が切り替わり、次に鍵がかかった扉がある場所までの経路図と進み方に関するメッセージが表示される。指示に従って警備員がビル内を進み、指示のあった鍵を使用して扉を開けた後にその鍵のＩＤを鍵管理装置に読み込ませると、鍵管理装置の表示内容が再度切り替わり、次に鍵がかかった扉がある場所までの経路図と進み方に関するメッセージが表示される。
【００２８】
これを何度か繰り返して警備員が最後の扉を開けて通報のあった現場に到着し、最後の鍵を鍵管理装置に読み込ませると、そこでおこなうべき作業の内容が鍵管理装置に表示される。
【００２９】
現場での作業を終えた警備員が扉を鍵で施錠し、その鍵のＩＤを鍵管理装置に読み込ませると、鍵管理装置の表示内容が切り替わり、次に鍵を開けた扉がある場所までの帰りの経路図と進み方に関するメッセージが表示される。指示に従って警備員がビル内を進み、指示のあった鍵を使用して扉を施錠した後にその鍵のＩＤを鍵管理装置に読み込ませると、鍵管理装置の表示内容が再度切り替わり、次に鍵を開けた扉がある場所までの帰りの経路図と進み方に関するメッセージが表示される。
【００３０】
これを何度か繰り返すことで警備員はビルの外にでることができる。途中で扉の施錠を忘れた場合には、次の扉を施錠して使用した鍵のＩＤを読み込ませた段階で鍵管理装置にエラー表示がされ、引き返して施錠をおこなうように促される。
【００３１】
車に戻った警備員は、使用した鍵のＩＤを鍵管理装置に読み込ませながら鍵箱に戻す。万一、ここで鍵が不足していることが分かった場合には、警備員は、当該の鍵を最後に使用した場所の経路図を鍵管理装置に表示させ、引き返して鍵の回収をおこなう。
【００３２】
全ての鍵を鍵箱に収納して作業を終えた後に、警備員は鍵管理装置に指示して今回の作業に関するレポートを作成させ、作成されたレポートを警備会社に提出する。
【００３３】
このように本実施例に係る鍵管理プログラムおよび鍵管理装置を使用することによって、警備員は、迅速かつ確実に目的地に到達でき、また、鍵の管理を適切におこなうことができる。
【００３４】
次に、本実施例に係る鍵管理装置の構成について説明する。図１は、本発明にかかる鍵管理装置の構成を示す機能ブロック図である。同図に示すように、鍵管理装置１は、ＩＤ読取部１０と、表示部２０と、操作部３０と、ネットワークインターフェース部４０と、制御部５０と、記憶部６０とを有する。
【００３５】
ＩＤ読取部１０は、バーコードやＩＣタグなどに埋め込まれたＩＤを読取る装置である。本実施例に係る鍵管理装置は、警備対象の施設の外壁とその施設内の現場に到達するために必要な鍵とにバーコードやＩＣタグなどを貼り付けておくことを前提にしており、そこに埋め込まれたＩＤを読取ることによって画面の表示内容を変更するようになっている。
【００３６】
具体的には、鍵管理装置１は、ＩＤ読取部１０が警備対象の施設の外壁に埋め込まれたＩＤを読取ると、その施設に入るために利用可能な入り口と目的の現場にたどり着くまでに必要な鍵の情報の一覧を表示する。また、鍵のＩＤを読取ると、次に進むべき経路もしくは次におこなうべき作業内容を画像とメッセージで表示し、当該の鍵の利用状況の表示を更新する。このように、鍵管理装置１は、ＩＤ読取部１０が読取ったＩＤに応じて警備員を誘導し、また、鍵の利用状況の管理をおこなう。
【００３７】
表示部２０は、画像やメッセージを表示する装置であり、例えば液晶装置などからなる。また、操作部３０は、ユーザの入力を受け付ける装置であり、例えばキーボードなどからなる。なお、表示部２０と操作部３０は、タッチパネルのように一体の装置となっていても構わない。
【００３８】
ネットワークインターフェース部４０は、インターネット等のネットワークと無線接続するためのインターフェース部である。ネットワークインターフェース部４０は、記憶部に登録されている各種情報を定期的に更新する際に使用される。なお、無線接続の方式については、どのような方式であっても構わない。
【００３９】
制御部５０は、鍵管理装置１を全体制御する制御部であり、施設情報取得処理部５１と、経路選択処理部５２と、鍵情報取得処理部５３と、鍵利用状況更新部５４と、レポート作成処理部５５とを有する。
【００４０】
施設情報取得処理部５１は、ＩＤ読取部１０が読取った外壁のＩＤに応じて警備員が到達しようとしている先の顧客情報と経路情報を取得する処理部である。例えば、向かっている先が法人の事務所の場合、休日や夜間は通常の出入り口が閉鎖されていて利用できない場合がある。このため、施設情報取得処理部５１は、現在の日付や曜日や時間を考慮し、警備員がその時点で利用可能な経路情報を選択して取得する。
【００４１】
ここで、外壁のＩＤを読み込んだだけで顧客情報や経路情報を取得するようになっていると、警備員が何も異常の発生していない顧客の情報を不正に取得できることになり、情報の管理の上で問題がある。顧客情報や経路情報は、顧客のプライバシーやセキュリティーを守るために慎重に扱う必要がある。また、同一の建物内に警備契約をもっている顧客が複数存在する場合には、外壁のＩＤを読み込んだだけでは警備員が向かう先を一意に判断することができない。
【００４２】
このため、警備会社のオペレータが警備員に異常の発生した現場へ向かうように電話等で指示する際に施設内の特定の目的地を示すアクセスコードを伝えることし、施設情報取得処理部５１は、外壁のＩＤが読み込まれた後に警備員にアクセスコードの入力を求め、アクセスコードが正しくない場合には情報の取得をおこなわずに処理を終了させる。アクセスコードが正しい場合には、外壁のＩＤに対応する施設の情報のうちで当該のアクセスコードに対応する情報のみを取得する。アクセスコードは必要な場合以外は警備員に教えないこととし、定期的にコードを変更して運用する。このように、アクセスコードを用いることで情報の不正取得を防止でき、また、同一施設内に複数の顧客が存在する場合にも対応できる。
【００４３】
経路選択処理部５２は、読み込まれた鍵のＩＤに応じて現場へ到達するまでの経路を選択し、その経路に関する情報やそこでおこなうべき作業に関する情報を表示部２０に表示する処理部である。経路選択処理部５２は、警備員が施設内に入ってから施設の外に出るまでの間、鍵のＩＤが適正に読み込まれるたびに表示部２０の表示内容の切り替えをおこなう。
【００４４】
鍵情報取得処理部５３は、施設情報取得処理部５１が取得した経路情報に従って警備員が施設内を進むために必要となる鍵の情報を取得する処理部である。ここで取得された鍵情報は、鍵の利用状況を管理するために使用される。
【００４５】
鍵利用状況更新部５４は、読み込まれた鍵のＩＤに応じて鍵の利用状況を更新する処理部である。具体的には、鍵情報取得処理部５３により取得された鍵情報のステータスを以下のように更新する。
【００４６】
まず、鍵情報取得処理部５３により取得された際の各鍵のステータスは「未取得」となる。最初に鍵のＩＤが読み込まれた際には、警備員がその鍵を車両に搭載した鍵箱から取出し、そのＩＤを読み込ませたものとみなして、当該の鍵のステータスを「取得」に変更する。次に鍵のＩＤが読み込まれた際には、警備員がその鍵を使用して扉を開け、そのＩＤを読み込ませたものとみなして、当該の鍵のステータスを「解錠」に変更する。その次に鍵のＩＤが読み込まれた際には、警備員がその鍵を使用して扉を閉め、そのＩＤを読み込ませたものとみなして、当該の鍵のステータスを「施錠」に変更する。そして、その次に鍵のＩＤが読み込まれた際には、警備員がその鍵のＩＤを読み込ませ、それを鍵箱に戻したものとみなして、当該の鍵のステータスを「収納済」に変更する。
【００４７】
鍵利用状況更新部５４は、鍵のＩＤが適正に読み込まれなかった場合には表示部２０にエラー表示をおこなって警備員に異常を通知し、鍵情報のステータスの更新をおこなわない。例えば、必要な鍵のＩＤを全て読み込む前に、最初に使用する鍵のＩＤが再度読み込まれた際にはエラー表示をおこなって警備員に鍵の取得漏れがある旨を通知する。また、警備員が経路を進む中で鍵のＩＤが誤った順序で読み込まれた場合にもエラー表示をおこない、警備員に鍵の開け忘れもしくは閉め忘れがある旨を通知する。全ての鍵のステータスが「収納済」になる前に警備員が処理を完了しようとした場合にもエラー表示をおこなって、警備員に鍵の収納漏れがある旨を通知する。
【００４８】
レポート作成処理部５５は、施設情報取得処理部５１が取得した顧客情報と警備員が各ＩＤを読み込ませた時間を基にして警備員の作業に関するレポート情報を作成する処理部である。
【００４９】
記憶部６０は、顧客情報記憶部６１と、カレンダ情報記憶部６２と、施設情報記憶部６３、画像記憶部６４と、経路情報記憶部６５と、鍵情報記憶部６６と、レポート情報記憶部６７とを有する。
【００５０】
顧客情報記憶部６１は、警備契約を結んでいる顧客の名称、住所、連絡先などを登録しておく記憶部である。この情報は、主としてレポート作成のために使用される。
【００５１】
カレンダ情報記憶部６２は、警備契約を結んでいる顧客の休日情報を曜日指定もしくは日付指定の形で登録しておく記憶部である。この休日情報は、施設情報取得処理部５１が経路情報を取得する際に使用される。なお、個人顧客のように平日も休日も警備員が使用する経路が同一の顧客に関しては休日情報を保持する必要がない。
【００５２】
施設情報記憶部６３は、警備契約をしている各施設において警備員が使用する経路の情報とその経路を使用するために必要な鍵の情報を登録しておく記憶部である。警備員が使用する経路は、同一の施設であっても対象の顧客、時間帯、休日か否かによって異なるが、ここにはすべてのパターンを網羅して登録しておく。一つの経路情報はあるＩＤが読み込まれてから次のＩＤが読み込まれるまでの経路を示し、少なくとも１対の画像とメッセージの組合せからなる。また、施設情報記憶部６３は、経路情報以外に警備装置の操作方法のような作業内容に関する情報も画像とメッセージの組合せの形で記憶することができる。
【００５３】
画像記憶部６４は、施設情報記憶部６３に記憶される経路情報および作業情報の画像の実体を登録しておく記憶部である。画像情報は情報量が多いため、画像記憶部６４に実体を記憶させておき、施設情報記憶部６３には画像記憶部６４から画像情報を読み出すための画像ＩＤのみを記憶しておく構成をとる。
【００５４】
経路情報記憶部６５は、施設情報取得処理部５１が施設情報記憶部６３から取得した経路情報および作業情報を一時記憶しておく記憶部であり、経路情報選択処理部５２が表示部２０に表示するための情報を保持する。図２は、経路情報記憶部６５が記憶する経路情報の一例を示すデータ構造図である。同図に示すように、経路情報記憶部６５は、経路順と、往復区分と、鍵ＩＤと、頁番号と、メッセージと、画像ＩＤという項目を有する。
【００５５】
経路順は、各経路の順番を示す連番を保持する。往復区分は、当該の経路が現場に到着するまでの往路と現場に到着した後に施設から退去するまでの復路のどちらであるのかを表すコードを保持する。鍵ＩＤは、次の経路情報を表示部２０に表示する契機となる鍵のＩＤを保持する。
【００５６】
経路情報記憶部６５は、１件の経路情報に対して頁番号とメッセージと画像ＩＤの組合せを複数保持する形式をとり、一つの経路で表示したい画像やメッセージが複数ある場合にも対応できる。頁番号は、メッセージと画像を表示する頁の番号を示す連番を保持する。メッセージと画像ＩＤは、それぞれ、経路もしくは作業内容を提示するための説明文と説明用の画像を画像記憶部６４から取得するためのＩＤを保持する。
【００５７】
鍵情報記憶部６６は、鍵情報取得処理部５３が取得した鍵情報を一時記憶し、それぞれの鍵の利用状況を管理するための記憶部である。図３は、鍵情報記憶部６６が記憶する鍵情報の一例を示すデータ構造図である。同図に示すように、鍵情報記憶部６６は、使用順と、鍵ＩＤと、ステータスと、取得時間と、解錠時間と、施錠時間と、収納時間という項目を有する。
【００５８】
使用順は、警備員が往路において鍵を使用する順番を示す連番を保持し、鍵ＩＤは、ＩＤ読取部１０が読取る鍵のＩＤを保持する。ステータスは、その時点での鍵の利用状況を保持し、前述のように「未取得」→「取得」→「解錠」→「施錠」→「収納済」の順に内容が遷移する。取得時間、解錠時間、施錠時間および収納時間は、ステータスがそれぞれ「取得」、「解錠」、「施錠」および「収納済」に変わった時間を記録する。
【００５９】
レポート情報記憶部６７は、警備員が各作業をおこなった時間や作業対象の顧客の情報などを記憶する。レポート情報記憶部６７には、レポート作成のために必要な各種情報がレポート作成処理部５５によって格納される。ここに格納された情報は、警備員が警備会社に戻った際に、ネットワーックインターフェース部４０を通じてサーバ装置に送信される。
【００６０】
次に、本実施例に係る鍵管理装置において表示部２０に表示される画面について説明する。表示部２０に表示される画面は、経情報路表示画面と鍵情報表示画面の２種類ある。経路情報表示画面は、経路情報もしくは作業情報を表示するための画面であり、鍵情報表示画面は鍵の利用状況を表示するための画面である。この２つの画面は、画面上部の経路情報表示ボタンもしくは鍵情報表示ボタンを選択することによって切り替わる。
【００６１】
図４は、入り口までの経路を示す経路情報表示画面のサンプル図である。ここで、経路情報表示画面の画面構成について説明しておく。画面の最上位には経路情報表示画面と鍵情報表示画面を切り替えるための経路情報表示ボタンと鍵情報表示ボタンが配置される。その下には、画像表示領域とメッセージ表示領域が配置され、さらにその下に全頁数と現在表示されている頁番号を「頁番号／全頁数」の形式で表示する領域と頁切り替えのためのボタンが一列に配置される。そして画面の最下部には、次に使用する鍵の番号を表示する領域が配置される。
【００６２】
経路情報表示画面には、経路情報記憶部６５に格納された経路情報のうちのいずれか１件が表示される。既に述べたように、経路情報記憶部６５には１件の経路情報に対して複数の頁番号とメッセージと画像ＩＤの組合せを保持することができる。例えば、経路情報表示画面に表示されている経路情報が３組の頁番号とメッセージと画像ＩＤの組合せを保持している場合、全頁数は３と表示され、頁番号には１〜３のいずれかが表示される。また、画像表示領域には頁番号と同じ組の画像ＩＤを用いて画像記憶部６４から取得した画像が表示され、メッセージ表示領域には頁番号と同じ組のメッセージが表示される。そして、次に使用する鍵の番号を表示する領域には鍵ＩＤの値が表示される。
【００６３】
図４は、施設の外壁に埋め込まれたＩＤを読取り、さらに警備員により入力されたアクセスコードが正しいことが確認された後に表示される画面のサンプルである。同図に示すように、このサンプルの場面では、警備員がＩＤを読取った場所の最寄りの入り口は何らかの理由で利用できないため他の利用可能な入り口へ警備員を誘導している。さらに、現場にたどり着くには鍵が必要なため、警備員に鍵の取出しと鍵のＩＤの読込みをおこなうように促している。
【００６４】
図５は、鍵情報表示画面のサンプル図である。ここで、鍵情報表示画面の画面構成について説明しておく。画面の最上位には経路情報表示画面と鍵情報表示画面を切り替えるための経路情報表示ボタンと鍵情報表示ボタンが配置される。その下には鍵情報の一覧を表示する領域があり、さらにその下には鍵を使用する場面の経路情報を表示するための往路表示ボタンと復路表示ボタンが配置される。これらのボタンの下にはエラーメッセージ等を表示するためのメッセージ領域が配置され、最下部には、レポート作成をおこなうためのレポート作成ボタンが配置される。
【００６５】
鍵情報画面の鍵情報の一覧を表示する領域には、鍵情報記憶部６６に記憶されている情報の使用順と鍵ＩＤとステータスの項目の値が全件表示される。ステータスの値は、ＩＤ読取部１０が鍵のＩＤを読取るたびに鍵利用状況更新部５４により更新される。また、この領域に表示されている鍵情報の一つを選択状態にして往路表示ボタンもしくは復路表示ボタンを選択すると、その鍵を往路もしくは復路で使用する場面の経路情報を表示する経路情報表示画面に画面が切り替わる。この場合、具体的には、経路情報記憶部６５から往復区分と鍵ＩＤを検索条件として経路情報が検索され、該当する経路情報が経路情報表示画面に表示されることとなる。
【００６６】
図５は、警備員が画面に表示された鍵を鍵箱から取出し、一本目の鍵のＩＤを読み込ませた後に表示される画面のサンプル図である。ＩＤを読み込んだ鍵のステータスのみが「取得」に更新され、他の鍵のステータスは初期状態の「未取得」のままになっている。ここで、一覧に表示されている全ての鍵のＩＤを読み込み、一覧のステータスが全て「取得」に変わった後に、最初の鍵を使用して扉を開け、その鍵のＩＤを読み込ませると、画面が切り替わり施設内での経路を示す経路情報表示画面が表示される。
【００６７】
図６−１および図６−２は、施設内での経路を示す経路情報表示画面のサンプル図である。この経路はエレベータを上る前と上った後の経路図を別に表示するために２頁の情報が存在している。警備員がこの画面に従って行動し、画面で指定された鍵を使用した後にその鍵のＩＤを読み込ませると、経路情報表示画面の表示内容が切り替わって次の経路情報もしくは作業内容が表示される。
【００６８】
次に、本実施例に係る鍵管理装置およびの警備員誘導の処理手順について説明する。図７は、図１に示した鍵管理装置１の処理手順を示すフローチャートである。同図に示すように、鍵管理装置１の処理手順は大きく３つの処理に分かれる。
【００６９】
誘導準備処理（ステップＳ１０１）は、警備員が施設に立ち入るまでにおこなわれる処理である。具体的には、読み込まれた外壁のＩＤに応じた情報の収集をおこない、利用可能な入り口までの経路と現場に到達するのに必要な鍵の一覧とを画面に表示し、必要な鍵が全て取出されたことを確認するまでの処理がここに該当する。
【００７０】
誘導処理（ステップＳ１０２）は、警備員が施設に立ち入って現場に到達して何らかの作業をおこない、施設の外に出るまでにおこなわれる処理である。具体的には、読み込まれた鍵のＩＤに応じて、画面に表示する経路情報ないし作業情報を切り替え、鍵の利用状況を更新する処理がここに該当する。
【００７１】
誘導後処理（ステップＳ１０３）は、警備員が施設の外に出た後におこなわれる処理である。具体的には、使用された鍵が全て収納されたことを確認し、実施された作業に関するレポートを作成する処理がここに該当する。
【００７２】
次に、図７に示した誘導準備処理の処理手順について説明する。図８は、図７に示した誘導準備処理の処理手順を示すフローチャートである。同図に示すように、施設の外壁に埋め込まれたＩＤをＩＤ読取部１０が読取ると（ステップＳ２０１）、オペレータから通知されたアクセスコードを入力するように求めるメッセージを表示部２０に表示する。そして、入力されたアクセスコードが適正でない場合には（ステップＳ２０２否定）、処理を中止して初期状態に復帰する。
【００７３】
適正なアクセスコードが入力された場合には（ステップＳ２０３肯定）、アクセスコードに該当する顧客の顧客情報を取得し（ステップＳ２０４）、レポート情報を格納するための記憶領域を確保して取得した顧客情報を格納する（ステップＳ２０５）。さらに、現在時刻を得るためにシステム時間を取得し（ステップＳ２０６）、カレンダ情報記憶部６２を参照して当該の顧客が休日に当たるかどうかを確認する（ステップＳ２０７）。
【００７４】
そして、上記で取得したアクセスコードに該当する場所に到達するための経路情報を現在時刻と顧客が休日であるか否かを考慮して施設情報記憶部６３より取得し、取得した経路情報を経路情報記憶部６５へ格納する（ステップＳ２０８）。また、取得した経路情報に含まれる鍵情報を抽出し、ステータスを「未取得」として鍵情報記憶部６６へ格納する（ステップＳ２０９）。
【００７５】
このようにして必要な情報の取得を終えたら、その情報を経路情報画面および鍵情報画面に表示し、さらに、必要な鍵を取出して鍵のＩＤを読み込むように求めるメッセージを表示部２０に表示する。
【００７６】
そして、鍵のＩＤが読み込まれたならば（ステップＳ２１１）、その鍵のＩＤが鍵情報記憶部６６に格納されている鍵情報に該当するかどうかを確認し、該当しない場合は（ステップＳ２１２否定）、表示部２０にエラーメッセージを表示し（ステップＳ２１３）、次のＩＤの読み込みを待つ。
【００７７】
鍵情報のいずれかに該当する鍵のＩＤが読み込まれた場合は（ステップＳ２１２肯定）、当該の鍵情報のステータスを「取得」に更新し、鍵情報画面のステータスも変更する（ステップＳ２１４）。そして、鍵情報記憶部６６に格納された全ての鍵情報のステータスが「取得」に更新されたかどうかを確認し、「未取得」が残っている場合は（ステップＳ２１５否定）次のＩＤの読み込みを待ち、全てが「取得」に更新されている場合は（ステップＳ２１５肯定）誘導準備処理を終了する。
【００７８】
次に、図７に示した誘導処理の処理手順について説明する。図９は、図７に示した誘導処理の処理手順を示すフローチャートである。同図に示すように、鍵のＩＤが読み込まれたならば（ステップＳ３０１）、その鍵が次に使用されるべき鍵だったかどうかを経路情報記憶部６５を参照して確認し、適正な鍵でない場合には（ステップＳ３０２否定）、表示部２０にエラーメッセージを表示し（ステップＳ３０３）、次のＩＤの読み込みを待つ。
【００７９】
適正な鍵であった場合は（ステップＳ３０２肯定）、経路情報表示画面に表示する経路情報を次の経路情報に切り替える（ステップＳ３０４）。そして、鍵情報記憶部６６の該当する鍵情報のステータスを往路の場合は「解錠」に更新し、復路の場合は「施錠」に更新し、さらに鍵情報画面のステータスも同様に変更する（ステップＳ３０５）。
【００８０】
そして、ステップＳ３０４で経路情報表示画面に表示した経路情報が最後の経路でない場合は（ステップＳ３０６否定）次のＩＤの読み込みを待ち、最後の経路の場合は（ステップＳ３０６肯定）誘導処理を終了する。
【００８１】
次に、図７に示した誘導後処理の処理手順について説明する。図１０は、図７に示した誘導後処理の処理手順を示すフローチャートである。同図に示すように、入力を受け付けたならば、その入力の種類の判別をおこなう（ステップＳ４０１）。
【００８２】
入力が鍵のＩＤであった場合は（ステップＳ４０２鍵ＩＤ）、その鍵のＩＤが鍵情報記憶部６６に格納されている鍵情報に該当するかどうかを確認し、該当しない場合は（ステップＳ４０３否定）、表示部２０にエラーメッセージを表示し（ステップＳ４０４）、次の入力を待つ。鍵情報のいずれかに該当する鍵のＩＤが読み込まれた場合は（ステップＳ４０３肯定）、当該の鍵情報のステータスを「収納済」に更新し、鍵情報画面のステータスも変更して次の入力を待つ（ステップＳ４０５）。
【００８３】
また、入力がレポート作成ボタンであった場合は（ステップＳ４０２レポート作成ボタン）、鍵情報記憶部６６に格納された全ての鍵情報のステータスが「収納済」に更新されたかどうかを確認し、「収納済」以外が残っている場合は（ステップＳ４０６否定）表示部２０にエラーメッセージを表示し（ステップＳ４０７）、次の入力を待つ。そして、全てが「収納済」に更新されている場合は（ステップＳ４０６肯定）、外壁のＩＤを読取った時間と鍵情報記憶部６６に記憶されている各時間をレポート記憶部６７に格納し（ステップＳ４０８）、誘導後処理を終了する。
【００８４】
上述してきたように、本実施例では、鍵の取得と利用と収納にともなっておこなわれる鍵のＩＤの読取りによって鍵情報のステータスを更新し、さらに、鍵を使用する場面の経路図を表示部に表示できるように構成したので、鍵を最後にどのように扱い、その場所がどこであるのかを容易に知ることができる。
【００８５】
また、本実施例では、鍵を誤った順序で使用した場合に警告をおこなうように構成したので、途中で鍵を施錠するのを忘れて次の鍵を使用した場合には警告がなされ、鍵の施錠忘れを有効に防止することができる。
【００８６】
なお、本実施例では、扉の施錠・解錠をおこなうための鍵を管理する例を説明したが、本発明に係る鍵管理プログラムおよび鍵管理装置は、金庫等の設備の施錠・解錠をおこなうための鍵も扉の鍵とともに管理することができる。
【００８７】
（付記１）鍵管理プログラムであって、
鍵を他の鍵と区別する鍵識別情報を読取る識別情報読取手順と、
所定の警備作業に必要となる鍵の情報を取得する鍵情報取得手順と、
前記鍵情報取得手順によって取得された鍵情報に含まれる鍵に係る利用状態情報を当該の鍵の取得と利用と収納とにともなっておこなわれる前記鍵識別情報の読取りを契機として更新する鍵利用状況更新手順と、
前記鍵情報と前記利用状態情報とを関連付けて表示する表示手順と、
をコンピュータに実行させることを特徴とする鍵管理プログラム。
【００８８】
（付記２）前記鍵情報取得手順は、鍵の使用順序の規則を含む前記鍵情報を取得し、前記鍵利用状況更新手順は、前記規則に反する順序で前記識別情報読取手順により前記鍵識別情報が読取られた場合に警告通知をおこなうことを特徴とする付記１に記載の鍵管理プログラム。
【００８９】
（付記３）前記鍵情報取得手順は、鍵の使用場所の経路図を含む前記鍵情報を取得し、前記表示手順は、前記鍵情報と共に当該の鍵と関連する前記経路図を表示することを特徴とする付記１または２に記載の鍵管理プログラム。
【００９０】
（付記４）前記識別情報読取手順は、警備対象の建屋を他の建屋と区別する建屋識別情報をさらに読取り、
前記鍵情報取得手順は、建屋識別情報に応じた鍵情報を取得することを特徴とする付記１〜３のいずれか一つに記載の鍵管理プログラム。
【００９１】
（付記５）鍵管理装置であって、
鍵を他の鍵と区別する鍵識別情報を読取る識別情報読取手段と、
所定の警備作業に必要となる鍵の情報を取得する鍵情報取得手段と、
前記鍵情報取得手段によって取得された鍵情報に含まれる鍵に係る利用状態情報を当該の鍵の取得と利用と収納とにともなっておこなわれる前記鍵識別情報の読取りを契機として更新する鍵利用状況更新手段と、
前記鍵情報と前記利用状態情報とを関連付けて表示する表示手段と、
を備えたことを特徴とする鍵管理装置。
【００９２】
（付記６）前記鍵情報取得手段は、鍵の使用順序の規則を含む前記鍵情報を取得し、前記鍵利用状況更新手段は、前記規則に反する順序で前記識別情報読取手段により前記鍵識別情報が読取られた場合に警告通知をおこなうことを特徴とする付記５に記載の鍵管理装置。
【００９３】
（付記７）前記鍵情報取得手段は、鍵の使用場所の経路図を含む前記鍵情報を取得し、前記表示手段は、前記鍵情報と共に当該の鍵と関連する前記経路図を表示することを特徴とする付記５または６に記載の鍵管理装置。
【００９４】
（付記８）前記識別情報読取手段は、警備対象の建屋を他の建屋と区別する建屋識別情報をさらに読取り、
前記鍵情報取得手段は、建屋識別情報に応じた鍵情報を取得することを特徴とする付記５〜７のいずれか一つに記載の鍵管理装置。
【産業上の利用可能性】
【００９５】
以上のように、本発明にかかる鍵管理プログラムおよび鍵管理装置は、鍵の管理に有用であり、特に、鍵の紛失に効率よく対処し、鍵の閉め忘れを効果的に防止したい場合に適している。
【図面の簡単な説明】
【００９６】
【図１】本発明にかかる鍵管理装置の構成を示す機能ブロック図である。
【図２】経路情報記憶部が記憶する経路情報の一例を示すデータ構造図である。
【図３】鍵情報記憶部が記憶する鍵情報の一例を示すデータ構造図である。
【図４】入り口までの経路を示す経路情報表示画面のサンプル図である。
【図５】鍵情報表示画面のサンプル図である。
【図６−１】施設内での経路を示す経路情報表示画面のサンプル図である。
【図６−２】施設内での経路を示す経路情報表示画面のサンプル図である。
【図７】図１に示した鍵管理装置の処理手順を示すフローチャートである。
【図８】図７に示した誘導準備処理の処理手順を示すフローチャートである。
【図９】図７に示した誘導処理の処理手順を示すフローチャートである。
【図１０】図７に示した誘導後処理の処理手順を示すフローチャートである。
【符号の説明】
【００９７】
１    鍵管理装置
１０    ＩＤ読取部
２０    表示部
３０    操作部
４０    ネットワークインターフェース部
５０    制御部
５１    施設情報取得処理部
５２    経路選択処理部
５３    鍵情報取得処理部
５４    鍵利用状況更新部
５５    レポート作成処理部
６０    記憶部
６１    顧客情報記憶部
６２    カレンダ情報記憶部
６３    施設情報記憶部
６４    画像記憶部
６５    経路情報記憶部
６６    鍵情報記憶部
６７    レポート情報記憶部
【図１】
2005344307.tif 000003
【図２】
2005344307.tif 000004
【図３】
2005344307.tif 000005
【図４】
2005344307.tif 000006
【図５】
2005344307.tif 000007
【図６−１】
2005344307.tif 000008
【図６−２】
2005344307.tif 000009
【図７】
2005344307.tif 000010
【図８】
2005344307.tif 000011
【図９】
2005344307.tif 000012
【図１０】
2005344307.tif 000013